(57)【特許請求の範囲】
【請求項１】
粘着剤付き紙片の積層体からなるメモパッドを収納するとともに、必要に応じて前記紙片を１葉ずつ取り出すように構成されたメモパッド容器兼ディスペンサであって、
前記メモパッドの形状に対応した内部空間を具えた箱体と、前記箱体と一体的もしくは独立して形成された蓋体とを有し、前記蓋体は前記箱体の上部周縁部に相対向して取り付けられた両開き式の矩形部材からなり、それらの部材の所定の間隔で離れた先端部により、前記紙片の幅よりも少なくとも大きな幅を有するスリット状紙片取り出し開口が設けられており、前記紙片取り出し開口部の長手方向と直交する方向の開口部大きさが１０〜２０ｍｍであり、
前記開口の長手方向周縁部は、前記紙片を箱体から取り出す時、箱体から取り出されるべき被取り出し紙片と該紙片の下方に位置する箱体に残置されるべき紙片の接合強度よりも大きな摩擦抵抗を前記の取り出されるべき紙片に付与することができ、
前記箱体の内部空間は、収納された前記メモパッドから前記紙片を取り出す際に前記メモパッドの箱体内で４ｍｍ以上摺動することができるに十分な予備空間を有しており、かつ前記蓋体の紙片取り出し開口の近傍に、複数の小突起が、その開口の長手方向に略垂直な方向に整列していることを特徴とするメモパッド容器兼ディスペンサ。
【請求項２】
前記蓋体が前記箱体に関して入れ子式の構造を有しており、前記蓋体の天板のほぼ中央部に前記紙片取り出し開口が形成されていることを特徴とする請求項１に記載のメモパッド容器兼ディスペンサ。
【請求項３】
前記メモパッドが、その１つの面の一部に粘着剤を帯状に塗被された粘着剤付き紙片の複数枚をそれぞれの紙片の粘着剤塗布面が交互に位置するように積層して形成されたものであり、所定の厚さを有しており、そして、伸長時、それぞれの紙片の粘着剤の接合強度により連続した電光型の長尺物を提供可能であり、但し、前記接合強度を上回る分離力が相隣れる紙片に加わった場合、それぞれの紙片を分離可能であることを特徴とする請求項１又は２に記載のメモパッド容器兼ディスペンサ。
【請求項４】
前記箱体の内部空間の、前記メモパッドの収納後に提供される予備空間が、前記箱体から紙片を取り出す過程で、次のような容積変化：
（１）被取り出し紙片を前記箱体の前記紙片取り出し開口から引き出し始めると、前記箱体の底面のほぼ中央部に静置されていたメモパッドが前記箱体内を移動して、箱体の引き出し側の壁面に当接するとともに、反対側の壁面近傍に予備空間を形成し、
（２）被取り出し紙片をさらに引き出すと、前記紙片の一部が前記箱体内に位置する状態の時点で、前記予備空間がそのまま維持されるとともに、被取り出し紙片が前記開口において弧を描いて彎曲し、
（３）被取り出し紙片の全体及び該紙片に続く紙片の一部を前記箱体の外側に引き出すと、前記メモパッドが前記箱体の天板に当接する形で持ち上げられ、前記（１）において前記メモパッドが当接せしめられていた壁面と前記箱体の底面を包含する予備空間が形成され、そして
（４）さらに、被取り出し紙片と該紙片に続く紙片の接合強度よりも大きな分離力を前記被取り出し紙片に適用すると、前記被取り出し紙片が前記メモパッドから分離されるとともに、前記メモパッドは、先の持ち上げ状態から開放されて、前記箱体の底面のほぼ中央部に静置されること、
を生じることを特徴とする請求項１〜３のいずれか１項に記載のメモパッド容器兼ディスペンサ。
【請求項５】
前記小突起が、前記開口の長手方向に沿ってさらに延在していることを特徴とする請求項１〜４のいずれか１項に記載のメモパッド容器兼ディスペンサ。
【発明の詳細な説明】
【０００１】
【発明の属する技術分野】
本発明は、メモパッド容器兼ディスペンサに関し、さらに詳しく述べると、粘着剤付き紙片の積層体からなるメモパッドを収納とともに、必要に応じて前記紙片を１葉ずつ、断続的にあるいは連続的に、取り出すように構成されたメモパッド容器兼ディスペンサに関する。ここで、「メモパッド」とは、例えばＰｏｓｔ−ｉｔTM（ポストイットTM）として商業的に入手可能な、粘着剤付き紙片の積層体を意味し、そのサイズは、周知のように、小型のものから大型のものまで、そして細長いものから正方形のものまで、各種のものを包含する。
【０００２】
【従来の技術】
メモパッド容器兼ディスペンサとしては、従来からいくつの種類のものが知られており、また、市販されている。例えば、図７に示すように、所定のサイズ及び枚数の粘着剤付き紙片（以下、「紙片」又は「メモ紙」と呼ぶこともある）からなるメモパッドを箱型の紙製容器に収納し、その開口３５からメモ紙１０を図示のように一枚ずつ引き出す方式のメモパッド容器兼ディスペンサ３１が公知である。図示の例では、指で抑えているメモ紙１０とその次のメモ紙とは所定の接合強度で粘着剤によって結合せしめられており、しかし、メモ紙１０を抑えている指の引っ張り強度（分離力）が先の接合強度を上回った場合、分離可能である。なお、メモパッドは、通常、自由に移動するのを防止することなどのために容器３１内に緊密に収納されており、また、メモ紙が少なくなった時にも容易に取り出すことができるように、下方から付勢されている。
【０００３】
さらに、図８に示すようなメモパッド容器兼ディスペンサも公知である。図８に示すメモパッド容器兼ディスペンサ４１は、図９に展開して示すように、メモパッド収納用の空間を有するプラスチック製箱体４２と、この箱体をカバー可能なかつメモ紙１０を引き出すための開口４５を有する蓋体４４とから構成されている。蓋体４４は、メモ紙１０の引出しをスムースに行うとともにディスペンサ４１の不用意な動きを防止するため、例えばスチールなどの自体重力のある金属材料から構成するのが好ましい。ディスペンサ４１からのメモ紙１０の引出しは、基本的に、図７を参照しながら先に説明したディスペンサ３１のそれに同じである。
【０００４】
【発明が解決しようとする課題】
従来のメモパッド容器兼ディスペンサは、利便性に優れているので、いろいろな分野において広く用いられている。しかし、従来のディスペンサに共通した欠点として、メモ紙を一枚ずつ取り出すことを保証するために、メモ紙の引出しにことさらに大きな引っ張り力を要すること、また、容器内に緊密に収納されたメモパッド及びしたがってメモ紙にそのような大きな力がかかるために、引き出されたメモ紙に折れ皺が入ったり、カールが付いたりすること、がある。メモ紙にこのような変形が入ると、文字等の書き込みに都合が悪くなるばかりか、メモボード、壁面等の被着面に貼付する際に十分な接着力を確保することができない、非粘着面が浮き上がって見栄えが悪くなる、といった不都合が発生する。なお、同様なディスペンサであっても、それに収納される積層体がメモ紙ではなくて、プラスチックフィルムである場合、このような不都合は発生しない。
【０００５】
本発明の目的は、従来のメモパッド容器兼ディスペンサにおけるこれらの問題点を解決して、ディスペンサからのメモ紙の取り出しを弱い引っ張り力で容易に可能であり、しかも、取り出された紙片が変形しておらず、従って、被着面に対してフラットに貼付できるようなメモパッド容器兼ディスペンサを提供することにある。
【０００６】
【課題を解決するための手段】
上記した目的は、本発明によると、粘着剤付き紙片の積層体からなるメモパッドを収納するとともに、必要に応じて前記紙片を１葉ずつ取り出すように構成されたメモパッド容器兼ディスペンサであって、前記メモパッドの形状に対応した内部空間を具えた箱体を有しており、前記箱体と一体的もしくは独立して形成された蓋体には前記紙片の幅よりも少なくとも大きな幅を有するスリット状紙片取り出し開口が設けられており、前記開口の長手方向周縁部は、前記紙片を箱体から取り出す時、箱体から取り出されるべき被取り出し紙片と該紙片の下方に位置する箱体に残置されるべき紙片の接合強度よりも大きな摩擦抵抗を前記の取り出されるべき紙片に付与することができ、そして、前記箱体の内部空間は、収納された前記メモパッドから前記紙片を取り出す際に前記メモパッドの箱体内移動によりその取り出し動作を補助するのに十分な予備空間を有していることを特徴とするメモパッド容器兼ディスペンサによって達成することができる。
【０００７】
【発明の実施の形態】
本発明のメモパッド容器兼ディスペンサは、いろいろな形態で提供することができる。本発明のメモパッド容器兼ディスペンサの典型的な形態を以下において説明するけれども、本発明は、これらの形態に限定されるものではないことを理解されたい。
【０００８】
本発明のメモパッド容器兼ディスペンサは、メモパッドを収納するための、すなわち、メモパッドの形状に対応した内部空間を具えた箱体と、この箱体と組み合わさった、すなわち、箱体と一体的もしくは独立して形成された蓋体とを含んで構成される。ここで、箱体と蓋体の組み合わせの形態は、以下においても具体的に説明するけれども、メモパッド容器兼ディスペンサの機能を発揮する限りにおいていかなる形態であってもよい。
【０００９】
例えば、箱体と蓋体を一体的に構成する場合には、箱体の上面を蓋体として利用し、その蓋体を箱体と一体的に形成された開閉自在な矩形部材からなり、該部材の閉塞時に前記スリット状紙片取り出し開口を形成可能であるように構成することができる。さらに具体的には、前記蓋体が前記箱体の上部周縁部に相対向して取り付けられた両開き式の矩形部材からなり、それらの部材の所定の間隔で離れた先端部により前記紙片取り出し開口が形成されているように構成することができる。また、前記蓋体が前記箱体の１つの上部周縁部に取り付けられた片開き式の矩形部材からなり、その部材のほぼ中央部に前記紙片取り出し開口が形成されているように構成することもできる。
【００１０】
また、箱体と蓋体を独立して構成する場合には、前記蓋体が前記箱体に関して入れ子式の構造を有しており、前記蓋体の天板のほぼ中央部に前記紙片取り出し開口が形成されているように構成することができる。ここで、蓋体は、図９において示されるように箱体の内部に納まる形状でも、あるいは、以下に図６を参照して説明するように、箱体をすっぽりと包み込む形状でもよい。
【００１１】
さらに、箱体や蓋体には、ディスペンサの取扱性などを向上させるためのいろいろな改良が施されていてもよい。例えば、メモ紙の取り出し（摘まみ）を容易にすることなどのため、蓋体の表面に小突起を取り付けること、例えば、蓋体の紙片取り出し開口の近傍に、その開口に沿って長手方向に延在する小突起を配設すること、が推奨される。場合によって、使用中にメモパッドが薄くなってメモ紙の取り出しがスムーズにいかなくなった時には、メモ紙とほぼ同じ大きさの調節板を予め用意しておいて、その調節板を必要に応じて箱体の底とメモパッドの中間に挿入して、上記の不都合を回避することが推奨される。さらに、ディスペンサの裏面にマグネットシート又はプレートを貼り付けておいて、オフィスのデスク回りに磁石力で取り付けるなどして、ディスペンサの使用領域を拡大することも推奨される。
【００１２】
スリット状紙片取り出し開口は、さらに、その開口から取り出されるべき紙片の幅よりも少なくとも大きな幅を有することが必要であり、また、その開口の長手方向周縁部は、前記紙片を箱体から取り出す時、箱体から取り出されるべき被取り出し紙片と該紙片の下方に位置する箱体に残置されるべき紙片の接合強度よりも大きな摩擦抵抗を前記の取り出されるべき紙片に付与することができ、そして、前記箱体の内部空間は、収納された前記メモパッドから前記紙片を取り出す際に前記メモパッドの箱体内移動によりその取り出し動作を補助するのに十分な予備空間を有していることが必要である。
【００１３】
ところで、本発明の実施において有利に用いられるメモパッドは、その１つの面の一部に粘着剤を帯状に塗被された粘着剤付き紙片の複数枚をそれぞれの紙片の粘着剤塗布面が交互に位置するように積層して形成されたものであり、所定の厚さを有しており、そして、伸長時、それぞれの紙片の粘着剤の接合強度により連続した電光型の長尺物を提供可能であり、但し、前記接合強度を上回る分離力が相隣れる紙片に加わった場合、それぞれの紙片を分離可能であるようなものである。このようなメモパッドは、商業的に入手可能なメモパッドをそのままあるいはわずかに改良することによって提供することができる。
【００１４】
本発明のメモパッド容器兼ディスペンサにおいて、前記箱体の内部空間の、前記メモパッドの収納後に提供される予備空間は、好ましくは、前記箱体から紙片を取り出す過程で、次のような容積変化を生じるものである：
（１）被取り出し紙片を前記箱体の前記紙片取り出し開口から引き出し始めると、前記箱体の底面のほぼ中央部に静置されていたメモパッドが前記箱体内を移動して、箱体の引き出し側の壁面に当接するとともに、反対側の壁面近傍に予備空間を形成し、
（２）被取り出し紙片をさらに引き出すと、前記紙片の一部が前記箱体内に位置する状態の時点で、前記予備空間がそのまま維持されるとともに、被取り出し紙片が前記開口において弧を描いて彎曲し、
（３）被取り出し紙片の全体及び該紙片に続く紙片の一部を前記箱体の外側に引き出すと、前記メモパッドが前記箱体の天板に当接する形で持ち上げられ、前記（１）において前記メモパッドが当接せしめられていた壁面と前記箱体の底面を包含する予備空間が形成され、そして
（４）さらに、被取り出し紙片と該紙片に続く紙片の接合強度よりも大きな分離力を前記被取り出し紙片に適用すると、前記被取り出し紙片が前記メモパッドから分離されるとともに、前記メモパッドは、先の持ち上げ状態から開放されて、前記箱体の底面のほぼ中央部に静置されること。
【００１５】
【実施例】
以下、添付の図面を参照して本発明のいくつかの実施例を詳細に説明する。なお、本発明は以下に図示する実施例に限定されるものではなく、本発明の精神及び範囲内において種々の変更及び改良を施し得ることを理解されたい。
図１は、本発明の好ましい１態様によるメモパッド容器兼ディスペンサの使用状態を説明するために参考例として示す斜視図である。すなわち、図示のメモパッド容器兼ディスペンサ１は、複数個の相違点を有しない点で本発明の実施例に該当しないが、その他の点においては同一の構成を有するので、本発明のメモパッド容器兼ディスペンサの理解のために参考例として参照するものである。
図示のメモパッド容器兼ディスペンサ１は、その蓋体４が図示のように両開き式になっており、対向する蓋体４によって形成された開口５から粘着剤付き紙片（メモ紙）１０を引き出すことができる。メモパッド容器兼ディスペンサ１の構成は、それを展開して示す図２から、より容易に理解することができるであろう。ディスペンサ１は、その底板２に対向して取り付けられた側壁３と、それらの側壁以外の部分で側壁兼天板を形成する蓋体４とを含んで構成される。蓋体４を全開したところで、メモ紙１０の積層体であるメモパッド１１を収納する。なお、底板２、側壁３及び蓋体４は、好ましくは、透明なプラスチック材料、例えばポリスチレン樹脂から一体成形法により形成することができる。成形品の両翼を構成する蓋体４は、図示のように容易に開閉可能であり、したがって、メモパッドを使い尽くした時、蓋体４の開放により新しいメモパッドを簡単に補充することができる。
【００１６】
メモパッド１１は、メモパッド容器兼ディスペンサ１に収納した後、図３に順を追って示すように１枚ずつ取り出すことができる。
（Ａ）メモパッド１１の最上層のメモ紙１０の先端部をディスペンサ１の上部の開口から引き出す。この段階では、メモパッド１１は、ディスペンサ１の内部のほぼ中央に位置している。
（Ｂ）矢印で示すようにメモ紙１０の引出しを続けると、ディスペンサ１の内部のほぼ中央に静置されていたメモパッド１１が移動を開始し、そのメモパッド１１の一端がディスペンサ１の側壁に当接される。反対側の側壁近傍には、本願明細書でいうところの「予備空間」Ａが形成される。メモ紙１０の取り出しは、図示されるように、その粘着面で阻止される。
（Ｃ）矢印で示すようにメモ紙１０の引出しをさらに続けると、メモ紙１０が図示のように立ち上がるとともに、次のメモ紙１０が蓋体４の開口部において湾曲する。また、開口部においてメモ紙１０をこのように大きく湾曲させること、特に極力大きな円を描くようにすることは、メモ紙を取り出した後の折り皺を低減すること、そしてメモ紙の抵抗のないスムーズな取り出しを行うことにおいて有効である。予備空間Ａはそのまま保持される。
（Ｄ）メモ紙１０の引出しのための引っ張り力をさらに増加させると、図示のように、メモ紙１０の全体がディスペンサ１から引き出される。この段階で、メモパッド１１はディスペンサ１の内部で浮き上がる。予備空間は、ＡからＢに変化する。
（Ｅ）最後の引っ張りで、引出し途中のメモ紙１０に対してメモ紙どうしの接合強度よりも大きな分離力を適用する。メモ紙１０はその次のメモ紙１０から分離し、残りのメモパッド１１は、前記した図３（Ａ）の状態と同様になる。
【００１７】
本発明者らの知見によると、ディスペンサ１からメモ紙１０を取り出すに際して、ディスペンサ１の開口部においてメモ紙１０が極力大きな円を描くようにすると、メモ紙を取り出した後の折り皺を低減することができるばかりでなく、メモ紙の引き出しそのものも抵抗なくスムーズに行うことができる。したがって、ディスペンサ１の開口部の大きさは、極力幅広に構成することが好ましい。開口部の大きさは、ディスペンサの大きさ、メモパッドの大きさ、その他のファクタに応じて広く変更し得るというものの、通常、約１０〜２０mmであるのが好ましい。
【００１８】
さらに、メモ紙の取り出しをスムーズに行うことを可能にするため、ディスペンサ内に予備空間を形成して、ディスペンサの内部においてメモパッドが自由に摺動可能にするとともに、取り出されるべきメモ紙の先端が常に開口部のほぼ中央に位置するようにすることが有利である。予備空間の形成によって確保されるメモパッドの摺動距離は、ディスペンサの大きさ、メモパッドの大きさ、その他のファクタに応じて広く変更し得るというものの、通常、約４〜８mmないし約１５〜３０mmの範囲であるのが好ましい。
【００１９】
さらにまた、メモ紙を連続してずるずると引き出すことなく、１枚ずつ確実にかつスムーズに取り出すことを可能にするためには、メモ紙どうしの接合強度と、メモパッドを容器内に止まらせようとして容器の蓋体からメモパッドに対して付与される力（摩擦抵抗）の平衡が重要である。上記の接合強度が摩擦抵抗よりも大きい場合には、メモ紙を１枚ずつ引き出すべきところが次々と連続して引き出され、所期の目的を達成することができない。反対に、上記の接合強度が摩擦抵抗よりも小さい場合には、期待の通り、メモ紙を１枚ずつ切り離してスムースに取り出すことができる。メモ紙どうしの接合強度及び容器の蓋体からメモパッドに対して付与される摩擦抵抗は、それぞれ、ディスペンサの大きさ、メモパッドの大きさ、その他のファクタに応じて広く変更可能であり、例えば、通常、接合強度は約４０〜６０ｇ／５０mmの範囲であるのが好ましく、また、摩擦抵抗は約５０〜８０ｇ／５０mmないし約８０〜１２０ｇ／５０mmの範囲であるのが好ましい。
【００２０】
ところで、図１〜図３に参考例として示したメモパッド容器兼ディスペンサは、本発明のメモパッド容器兼ディスペンサの基本構成を示しており、これに複数個の小突起を付設したものが本発明のメモパッド容器兼ディスペンサである。本発明のディスペンサは、例えば、図４に示すように、ディスペンサ１の蓋体４の所定の領域に、メモ紙の摘まみ、取り出しを容易にするために、小突起６を配置することができる。図示の小突起は、平行な２本線タイプであるけれども、その他の形状であってもよい。
【００２１】
また、図５に示すように、ディスペンサ１の蓋体４を片開きとして、ヒンジ９によって箱体に取り付けてもよい。蓋体４には、所定の大きさの開口５を予め形成しておく。
さらに、図６に示すように、メモパッド容器兼ディスペンサ１を箱体１２と蓋体１４の入れ子式としてもよい。この場合も、蓋体１４には、所定の大きさの開口１５を予め形成しておく。なお、図５及び図６のディスペンサ１も、複数個の小突起を有しない点で参考例となる。
メモパッド容器兼ディスペンサの作製
図２に示す形状の、縦４０mm×横５３mm、５５mm又は５７mm（メモパッド摺動時の移動距離を２mm、４mm又は６mmとするために大きさを変更）×高さ８mmの透明容器をポリスチレン樹脂の一体成形で作製した。メモ紙の引出しに及ぼす開口部の大きさの影響を評価するため、開口部の大きさを４０mm×１４mm、４０mm×１６mm又は４０mm×１８mmに変更した。蓋体を開けて、粘着剤を左右に交互に塗布した紙製メモパッド（３８mm×５１mm、５０枚重ね、粘着剤面３８mm×１２mm）を所定の位置で収納した。それぞれの容器でメモパッドからのメモ紙の引出しを行い、メモ紙における折れ皺の発生状態、一枚ずつの引出しの可否について評価した。次のような結果が得られた。
【００２２】
0003830204.tif 000002
上記した結果から、折れ皺の発生やメモ紙の連続引出しは開口部の大きさ等のファクタに依存し、開口部の大きさが１６mmでメモパッドの摺動距離が４mmの時に満足し得る結果が得られるということが判る。
【００２３】
【発明の効果】
以上に説明したように、本発明によるメモパッド容器兼ディスペンサを使用すると、メモ紙を１枚ずつ取り出す時に、メモ紙の取り出しを弱い引っ張り力で容易に可能であり、しかも、取り出されたメモ紙に折れ皺が入ったり、カールが発生しておらず、従って、被着面に対してフラットに貼付できるという効果がある。また、ディスペンサを小型のものにすれば、携帯に便利であるばかりでなく、透明なプラスチック製とすることにより、外観を向上させるとともに、内部のメモ紙の残量を容易に確認できるようにすることができる。
【図面の簡単な説明】
【図１】  本発明のメモパッド容器兼ディスペンサの使用状態を説明するために参考例として示す斜視図である。
【図２】  図１のメモパッド容器兼ディスペンサ（参考例）の構成を説明する斜視図である。
【図３】  図１のメモパッド容器兼ディスペンサ（参考例）におけるメモ紙の取り出し工程を順を追って示した断面図である。
【図４】  本発明のメモパッド容器兼ディスペンサの１例を示す斜視図である。
【図５】  図１のメモパッド容器兼ディスペンサ（参考例）の１変形例を示す斜視図である。
【図６】  図１のメモパッド容器兼ディスペンサ（参考例）のもう１つの変形例を示す斜視図である。
【図７】  従来のメモパッド容器兼ディスペンサ（第１例）の使用状態を示す斜視図である。
【図８】  従来のメモパッド容器兼ディスペンサ（第２例）の使用状態を示す斜視図である。
【図９】  図８のメモパッド容器兼ディスペンサの構成を説明する斜視図である。
【符号の説明】
１…メモパッド容器兼ディスペンサ
２…底板
３…側壁
４…蓋体
５…開口
６…小突起
９…ヒンジ
１０…粘着剤付き紙片（メモ紙）
１１…メモパッド
１２…箱体
１４…蓋体
１５…開口
３１…箱型容器
３５…開口
４１…メモパッド容器兼ディスペンサ
４２…箱体
４４…蓋体
４５…開口
【図１】
0003830204.tif 000003
【図２】
0003830204.tif 000004
【図３】
0003830204.tif 000005
【図４】
0003830204.tif 000006
【図５】
0003830204.tif 000007
【図６】
0003830204.tif 000008
【図７】
0003830204.tif 000009
【図８】
0003830204.tif 000010
【図９】
0003830204.tif 000011